(57)【要約】【課題】変化のない表示データが連続して表示される場合の画面の焼き付きの発生を防止することを課題とする。【解決手段】表示部と、画像データを入力する画像入力部と、入力された画像データに対応する表示データを、所定の時間間隔で前記表示部に表示させる表示制御部と、前記表示データと異なるパターンを持つ焼付防止データを記憶する記憶部と、前記所定の時間間隔で表示される時間的に隣接する第１および第２の表示データに変化があるか否かを判定するデータ変化判定部とを備え、前記データ変化判定部が前記第１および第２の表示データに変化がないと判定した場合に、前記表示制御部は、前記第１の表示データを表示部に表示した後、前記第２の表示データを表示部に表示する前に、前記焼付防止データを所定の期間だけ表示部に表示させることを特徴とする表示装置。【選択図】図４
2014202855.tif 000002
【特許請求の範囲】
【請求項１】
表示部と、
画像データを入力する画像入力部と、
入力された画像データに対応する表示データを、所定の時間間隔で前記表示部に表示させる表示制御部と、
前記表示データと異なるパターンを持つ焼付防止データを記憶する記憶部と、
前記所定の時間間隔で表示される時間的に隣接する第１および第２の表示データに変化があるか否かを判定するデータ変化判定部とを備え、
前記データ変化判定部が前記第１および第２の表示データに変化がないと判定した場合に、
前記表示制御部は、前記第１の表示データを表示部に表示した後、前記第２の表示データを表示部に表示する前に、前記焼付防止データを所定の期間だけ表示部に表示させることを特徴とする表示装置。
【請求項２】
前記焼付防止データは、表示部の表示画面全体に白画像を表示させる全白画像パターン、あるいは直前に表示させた表示データの各画素の輝度を反転させた反転画像パターンであることを特徴とする請求項１に記載の表示装置。
【請求項３】
前記表示部が液晶表示パネルであり、
前記液晶表示パネルの背面に配置され可視光を出射する発光部をさらに備え、
前記焼付防止データを表示部に表示させている期間は、前記発光部から可視光を出射しないことを特徴とする請求項１または２に記載の表示装置。
【請求項４】
前記第２の表示データを表示させる前に、前記焼き付防止データを表示させた場合、
前記焼付防止データを表示した直後に前記第２の表示データを表示させるとき、
前記発光部から出射される光の輝度を所定値以上に高く設定することを特徴とする請求項３に記載の表示装置。
【請求項５】
前記時間的に隣接する第１および第２の表示データの差分を計算する差分計算部をさらに備え、
前記差分に基づいてデータの変化の有無を判定するための差分判定基準を、前記記憶部に予め記憶し、
前記データ変化判定部が、前記計算された差分と前記差分判定基準とを比較して、
前記計算された差分が差分判定基準よりも小さい場合に、時間的に隣接する第１および第２の表示データに変化がないと判定することを特徴とする請求項１ないし４のいずれかに記載の表示装置。
【請求項６】
前記差分が、前記第１の表示データのヒストグラムと前記第２の表示データのヒストグラムとの差であることを特徴とする請求項５に記載の表示装置。
【請求項７】
前記時間的に隣接する第１および第２の表示データを表示する期間内に、少なくとも１つの焼付防止データを表示させることを特徴とする請求項１ないし６のいずれかに記載の表示装置。
【発明の詳細な説明】
【技術分野】
【０００１】
この発明は、表示装置に関し、特に、液晶表示パネル等の表示装置で発生する焼き付きを防止する機能を有する表示装置に関する。
【背景技術】
【０００２】
従来から液晶表示パネル（以下、ＬＣＤと呼ぶ）などを用いた表示装置では、同じ静止画を長時間表示し続けると、その静止画の残像パターンが表示パネルに焼き付いてしまう現象が発生する。
特に、店舗や駅等に設置され公衆向けに利用される表示装置では、静止画が表示されるものが多いので、焼き付きが発生しやすい。
たとえば、ファーストフード店などでは、１日当たり１０時間以上も同じ静止画が表示される場合があり、短期間の使用でも、焼き付き現象が発生する。
【０００３】
このような焼き付きを防止するために、種々の改善案が提案されている。
たとえば、焼き付きが発生したＬＣＤに対して、全画面に白画像を表示させ続けることによって焼き付きを改善する表示装置がある。
【０００４】
また、特許文献１に記載されているように、映像信号の１フレーム期間内の任意のタイミングで黒画像を挿入し、映像信号の書き込み極性を、映像表示走査開始時を基点としたフレーム周期で反転させ、黒画像信号の書き込み極性を、黒画像表示走査開始時を基点としたフレーム周期で反転させて、極性反転が切り替わるラインを境にした焼き付きを防止し、また、フレーム間の映像信号の変化に基づいて、黒画像挿入率とバックライトの調光輝度を調整することによって、黒挿入駆動による輝度低下を防止する画像表示装置が提案されている。
【先行技術文献】
【特許文献】
【０００５】
【特許文献１】特開２００８−２６８８８７号公報
【発明の概要】
【発明が解決しようとする課題】
【０００６】
しかし、全画面に全白画像を表示させ続けることにより、表示パネルの焼き付きを改善させることはできるが、１日や２日程度の全白表示をしただけでは有効な改善をすることはできず、１ヶ月以上全白表示をし続けなければならない場合もある。
これでは、焼き付き改善のために相当の期間が必要であり、ＬＣＤを実際に使用する期間が制限される。
【０００７】
また、ＬＣＤを使用していないとき、たとえば、ＬＣＤを消灯している時間帯に、全白表示を行うことにより焼き付きを防止することも可能であるが、非使用時にも電力を消費することになり省電力化することができない。
さらに、ＬＣＤを２４時間ずっと使用し続けている店舗では、ＬＣＤを消灯している時間がないので、全白表示をすることができず、表示パネルの焼き付きを改善することができない。
【０００８】
また、特許文献１に記載された技術を用いた場合、画像の変化の有無に関わらず黒画像が挿入されるので、画像の見え方が不自然になる場合もあり、且つ、黒画像でしか対応できないので、焼きつきに対して効果が見込めないという問題がある。
【０００９】
さらに、表示パネルの焼き付きそのものは、ＬＣＤを構成する液晶セルの機能的な問題であるため、表示パネルを改良したとしても焼き付きの発生を完全に防止することは難しい。
【００１０】
そこで、この発明は、以上のような事情を考慮してなされたものであり、画像のデータ等表示動作中に、変化の少ない画像表示が行われるごとに、焼き付き防止処理を実行し、焼き付きの発生を防止することのできる表示装置を提供することを課題とする。
【課題を解決するための手段】
【００１１】
この発明は、表示部と、画像データを入力する画像入力部と、入力された画像データに対応する表示データを、所定の時間間隔で前記表示部に表示させる表示制御部と、前記表示データと異なるパターンを持つ焼付防止データを記憶する記憶部と、前記所定の時間間隔で表示される時間的に隣接する第１および第２の表示データに変化があるか否かを判定するデータ変化判定部とを備え、前記データ変化判定部が前記第１および第２の表示データに変化がないと判定した場合に、前記表示制御部は、前記第１の表示データを表示部に表示した後、前記第２の表示データを表示部に表示する前に、前記焼付防止データを所定の期間だけ表示部に表示させることを特徴とする表示装置を提供するものである。
【００１２】
これによれば、表示部に表示させる時間的に隣接する第１および第２の表示データに変化がないと判定した場合、第１の表示データと第２の表示データとの間に、表示データと異なるパターンを持つ焼付防止データを表示させるので、表示部に焼き付きが発生することを防止できる。
【００１３】
また、前記焼付防止データは、表示部の表示画面全体に白画像を表示させる全白画像パターン、あるいは直前に表示させた表示データの各画素の輝度を反転させた反転画像パターンであることを特徴とする。
これによれば、より確実に、表示部の焼き付きの発生を防止できる。
【００１４】
また、前記表示部が液晶表示パネルであり、前記液晶表示パネルの背面に配置され可視光を出射する発光部をさらに備え、前記焼付防止データを表示部に表示させている期間は、前記発光部から可視光を出射しないことを特徴とする。
これによれば、焼付防止データの表示期間に、発光部から可視光を出射しないので、ユーザが焼付防止データを見えないようにすることができる。
【００１５】
また、前記時間的に隣接する第１および第２の表示データの差分を計算する差分計算部をさらに備え、前記差分に基づいてデータの変化の有無を判定するための差分判定基準を、前記記憶部に予め記憶し、前記データ変化判定部が、前記計算された差分と前記差分判定基準とを比較して、前記計算された差分が差分判定基準よりも小さい場合に、時間的に隣接する第１および第２の表示データに変化がないと判定することを特徴とする。
【００１６】
また、前記第２の表示データを表示させる前に、前記焼き付防止データを表示させた場合、前記焼付防止データを表示した直後に前記第２の表示データを表示させるとき、前記発光部から出射される光の輝度を所定値以上に高く設定することを特徴とする。
これによれば、第２の表示データを表示するときの輝度を高くしているので、焼付防止データの表示期間に発生しうる輝度の低下を抑制することができる。
【００１７】
また、前記差分が、前記第１の表示データのヒストグラムと前記第２の表示データのヒストグラムとの差であることを特徴とする。
また、前記時間的に隣接する第１および第２の表示データを表示する期間内に、少なくとも１つの焼付防止データを表示させることを特徴とする。
【発明の効果】
【００１８】
この発明によれば、表示部に表示させる時間的に隣接する２つの表示データに変化がないと判定された場合に、隣接する２つの表示データの表示期間中に、その表示データと異なるパターンを持つ焼付防止データを表示させるので、表示部に焼き付きが発生するのを防止できる。
【図面の簡単な説明】
【００１９】
【図１】この発明の表示装置の一実施例の構成ブロック図である。
【図２】この発明の表示装置のモジュール構成の概略ブロック図である。
【図３】この発明の表示装置のモジュール構成の概略ブロック図である。
【図４】この発明の表示制御および焼き付き防止制御の第１実施例のフローチャートである。
【図５】この発明の表示制御および焼き付き防止制御の第２実施例のフローチャートである。
【図６ａ】この発明の表示制御および焼き付き防止制御の第３実施例のフローチャートである。
【図６ｂ】この発明の表示制御および焼き付き防止制御の第３実施例のフローチャートである。
【図７ａ】フレームデータに変化がある場合の表示制御の説明図である。
【図７ｂ】第１実施例において、フレームデータに変化がない場合の表示制御の説明図である。
【図７ｃ】第２実施例において、フレームデータに変化がない場合の表示制御の説明図である。
【図７ｄ】第３実施例において、フレームデータに変化がない場合の表示制御の説明図である。
【発明を実施するための形態】
【００２０】
以下、図に示す実施例に基づいて、この発明を説明する。
なお、これによって、この発明が限定されるものではない。
【００２１】
＜表示装置の機能ブロックの構成＞
図１に、この発明の表示装置の一実施例の構成ブロック図を示す。
図１において、この発明の表示装置は、主として、制御部１１，画像入力部１２，差分計算部１３，データ変化判定部１４，同期信号生成部１５，表示データ生成部１６，制御データ生成部１７，記憶部２１，表示制御部３１，表示部３２，バックライト制御部４１，バックライト部４２とを備える。
【００２２】
制御部１１は、この発明の表示装置の各機能ブロックを動作させて、種々の機能を実現する部分であり、主として、ＣＰＵ，ＲＯＭ，ＲＡＭ，Ｉ／Ｏコントローラ、タイマー等からなるマイクロコンピュータにより構成される。
また、ＲＯＭ等に記憶されたプログラムに基づいて、ＣＰＵが各種ハードウェアを有機的に動作させることによって、この発明の表示機能、データ変化判定、表示データの生成、バックライトの制御データの生成等の各機能を実現させる。
【００２３】
画像入力部１２は、画像データを入力する部分であり、たとえば、パソコン、サーバ、メディア再生装置等の情報処理装置から送信されてくる映像信号（Ｖd0）を入力する部分である。
入力される映像信号Ｖd0は、たとえば、１／６０秒ごとに表示部３２に表示される１画面（１フレーム）あたりの表示データ（フレームデータとも呼ぶ）に相当するものであり、表示部３２に表示することのできるフレームデータとして記憶部２１に一時記憶される。
【００２４】
差分計算部１３は、時間的に隣接する２つの表示データ（第１および第２表示データ）の差分を計算する部分である。たとえば、第ｎ番目のフレームの表示データ（ｎフレームデータ）と、その１／６０秒後に表示される第ｎ＋１番目のフレームの表示データ（ｎ＋１フレームデータ）との差分を算出する。
【００２５】
ここで、差分とは、たとえば、１画面を構成する各画素ごとのデータ値の差を意味する。この場合、ｎフレームデータの画素の輝度値Ｌｎと、ｎ＋１フレームデータの同じ位置の画素の輝度値Ｌｎ＋１との差（Ｌｎ−Ｌｎ＋１）によって、画素ごとの差分が求められる。
あるいは、差分としては、ヒストグラムを用いることもできる。ヒストグラムに差が生じた場合に画像が変化したと判定できる。
差分が所定の差分判定基準よりも小さい場合に、時間的に隣接する２つの表示データに変化がないと判定される。
【００２６】
データ変化判定部１４は、差分計算部１３によって計算された差分に基づいて、所定の時間間隔で表示される時間的に隣接する２つの表示データ（フレームデータ）に変化があるか否かを判定する部分である。
たとえば、差分判定基準２４を予め記憶部２１に記憶しておき、計算された差分と、差分判定基準２４とを比較して、計算された差分が差分判定基準２４よりも小さい場合には、隣接する２つのフレームデータの間には変化がないと判定する。
【００２７】
表示するデータが静止画の場合は、時間的に隣接する２つのフレームデータはほぼ同一画像であるので、変化がないと判定される。
一方、表示するデータが動画などの場合において、時間的に隣接する２つのフレームデータの差分が差分判定基準２４よりも大きい場合は、変化があると判定される。
【００２８】
表示データが常に変化している場合は、パネルの焼き付きは発生しにくいと考えられるので、焼き付き防止の対策をする必要はあまりない。
しかし、表示データがほとんど変化しない場合には、パネルの焼き付きが発生する可能性が大きいので、焼き付き防止の対策をすることが好ましい。
【００２９】
そこで、この発明では、本来表示すべきあるフレームの表示データ（ｎフレームデータ）を表示した後、次のフレームの表示データ（ｎ＋１フレームデータ）を表示する前に、表示データと異なるパターンを持つ表示データ（焼付防止データ２３）を表示させる。
【００３０】
ただし、この焼付防止データ２３がユーザに見えないようにするために、焼付防止データを表示させるタイミングと同じタイミングで、バックライト部４２を消灯させる。バックライト部を消灯させることにより、焼付防止データが表示画面上に表示されても、焼付防止データが視覚的にほとんど見えることがないようにできる。
【００３１】
同期信号生成部１５は、フレームデータと焼付防止データ２３を表示部３２に表示させるタイミングと、バックライト部４２を点灯および消灯させるタイミングを一致させるための同期信号（Ｖsync）を出力する部分である。
同期信号生成部１５は、後述するように、映像処理モジュール１に備えてもよく、あるいは、表示制御部３１に備えてもよい。
映像処理モジュール１に備える場合は、同じ同期信号（Ｖsync）が、表示制御部３１とバックライト制御部４１に、同じタイミングで与えられる。
また、表示制御部３１に備える場合は、同期信号（Ｖsync）は、表示制御部３１からバックライト制御部４１に与えられる。
【００３２】
表示データ生成部１６は、画像データを形成する入力された映像信号Ｖd0に基づいて、表示部に表示させる表示データＶd1を生成する部分である。生成された表示データＶd1は、表示制御部３１に与えられる。
【００３３】
制御データ生成部１７は、バックライト部４２の点灯および消灯を制御するための制御データＣｄを生成する部分である。
制御された制御データＣｄは、バックライト制御部４１に与えられる。
また、制御データＣｄは、バックライト部４２の点灯および消灯だけでなく、発光の明るさを設定（輝度調整）するためにも用いられる。
図１に示した差分計算部１３から制御データ生成部１７までの機能ブロックは、主として、ソフトウェアにより実現される。
【００３４】
記憶部２１は、この発明の表示機能等を実行するのに必要な情報を記憶しておく部分であり、主として、ＲＯＭ，ＲＡＭ，フラッシュメモリなどの半導体記憶素子、ＨＤＤ，ＳＳＤなどの記憶装置、その他の記憶媒体が用いられる。
【００３５】
記憶部２１には、たとえば、表示データ２２，焼付防止データ２３，差分判定基準２４などが記憶される。
表示データ２２は、入力された映像信号Ｖd0から生成されたフレームごとのデータであり、上記したように、データ変化を判定するために、時間的に隣接する複数個のフレームデータを一時的に記憶することが好ましい。
少なくとも時間的に隣接する２つのフレームデータ（ｎフレームデータ、ｎ＋１フレームデータ）を一時記憶する。
【００３６】
フレームデータを表示させる時間間隔は、表示装置の性能や映像出力装置によって予め設定されるが、たとえば、１／６０秒ごとに新たなフレームデータが生成されて表示される。
すなわち、あるｎフレームデータが表示部３２に表示された後、１／６０秒後に、次のｎ＋１フレームデータが表示部３２に表示される。
【００３７】
また、この発明では、隣接する２つの表示データ（ｎフレームデータと、ｎ＋１フレームデータ）の差分を計算し、その差分が所定の差分判定基準よりも小さく、変化がないと判定された場合は、ｎフレームデータを表示した後、ｎ＋１フレームデータを表示させる前に、所定の期間だけ、バックライト部４２を消灯し、かつ焼付防止データ２３を表示させる。
たとえば、１／６０秒間隔でフレームデータを表示させる場合、ｎフレームデータを表示した後、１／１２０秒後に、焼付防止データ２３を表示させる。
【００３８】
焼付防止データ２３は、表示パネルの焼き付きを防止させるための所定の表示パターン（焼き付き防止パターン）を持つ表示データを意味する。
焼付防止データ２３としては、表示データと異なるパターンを持つことが好ましい。
たとえば、表示部の表示画面全体に自画像を表示させる全白画像パターンを持つ表示データ、ソースの階調電圧を最大にしたパターンを持つ表示データ、現在の表示データの値を反転させた表示データ、全面中間階調データなどを用いることができる。ソースの諧調電圧を最大にしたパターンとは、白表示である255階調以上に高めて表示させるパターンである。見た目は全白表示のような状態であるが、255階調以上で仕様上の最大値に電圧を上げるのでムラや視野角が悪い白である。しかし、バックライトを消している状態なので、表示上問題にはならない。
また、焼付防止データをｎフレームデータの直後に表示させる場合、直前に表示させたｎフレームデータの各画素の輝度を反転させたパターンを持つ表示データ（反転画像パターン）を、焼付防止データ２３として用いてもよい。
すなわち、焼付防止データ２３としては、少なくとも直前に表示されるフレームデータと異なるパターンを有する表示データを用いることが好ましい。
【００３９】
差分判定基準２４は、上記したように、隣接するフレームデータの差分に基づいて、フレームデータの変化の有無を判定するための基準となる情報である。
たとえば、輝度が変化した画素の数、すなわち、変化ありと判定するための画素の数を、差分判定基準２４として予め設定する。
差分として、所定の輝度変化があった画素の数（変化画素数ｇ１）を計算した場合、変化画素数が、差分判定基準２４として設定された画素数ｇ０よりも多い場合（ｇ１≧ｇ０）、フレームデータに変化があると判定する。
また、ｇ１＜ｇ０の場合、フレームデータに変化がないと判定する。
また、差分判定基準２４としては、たとえば、単純に全画素値データの差が０などを用いてもよい。
【００４０】
表示制御部３１は、表示データ生成部１６によって生成された表示データを、所定の時間間隔で、表示部３２に与える（表示させる）部分であり、上記したように、所定の時間間隔でフレームデータあるいは焼付防止データを、表示部３２に表示させる。
【００４１】
表示部３２は、画像を実際に表示する部分であり、表示パネルに相当する。表示部３２としては、たとえば、液晶表示パネル（ＬＣＤ）、有機ＥＬ表示パネル、プラズマ表示パネル（ＰＤＰ）、ＣＲＴ、ＳＥＤなどが用いられる。
ただし、以下の実施例では、表示部３２として、ＬＣＤを用い、隣接するフレームデータの表示間隔を、１／６０秒とするものとする。
【００４２】
また、表示制御部３１と表示部３２は、それぞれ表示装置を構成する１つのハードウェア部品として形成される場合もあり、表示制御部３１を表示制御基板あるいは表示制御モジュールとも呼び、表示部３２を、表示パネルあるいは表示モジュールとも呼ぶ。
【００４３】
バックライト制御部４１は、バックライト部４２の点灯、消灯、あるいは輝度調整のための制御信号をバックライト部４２に与える部分であり、表示データの表示タイミングと一致するタイミングで、その制御信号をバックライト部４２に与える。
バックライト部４２に与えられる制御信号は、制御データ生成部１７によって生成されバックライト制御部４１に与えられる制御データと、同期信号生成部１５によって生成された同期信号（Ｖsync）とに基づいて生成される。
【００４４】
バックライト部４２は、可視光を出射する発光部に相当し、表示部が液晶表示パネルＬＣＤの場合は、液晶表示パネルの背面に配置される。発光部としては、たとえば、白色を発光するＬＥＤ、ＲＧＢ−ＬＥＤ、ＣＣＦＬなどが用いられる。
バックライト部４２に、バックライト制御部４１から制御信号が与えられると、全消灯、全点灯、あるいは所定の輝度に設定された点灯などのいずれかの発光が行われる。
また、上記したように、焼付防止データ２３を表示部３２に表示させている期間は、発光部（バックライト部）から可視光を出射しないようにする。
【００４５】
また、バックライト制御部４１とバックライト部４２は、それぞれ表示装置を構成する１つのハードウェア部品として形成される場合があり、バックライト制御部４１をバックライトドライバ基板（ドライバ基板）あるいはバックライト制御モジュールとも呼び、バックライト部４２をバックライトモジュールあるいは単にバックライトとも呼ぶ。
【００４６】
＜表示装置のモジュール構成＞
以下に、表示装置を構成するハードウェアのモジュール構成の一実施例を示す。
ここでは、主として、同期信号を生成する部分の位置が異なるモジュール構成を示す。
図２に、この発明の表示装置のモジュール構成の一実施例の概略ブロック図を示す。
この発明の表示装置は、主として、映像処理モジュール１と、表示制御モジュール３１，表示モジュール３２，バックライト制御モジュール４１，バックライトモジュール４２とから構成される。
【００４７】
映像処理モジュール１は、映像信号Ｖd0を外部の情報処理装置から入力し、表示データＶd1と、同期信号Ｖsyncと、制御データＣｄとを生成し、表示制御モジュール３１に対して表示データＶd1を与え、バックライト制御モジュール４１に対して制御データＣｄを与え、表示制御モジュール３１とバックライト制御モジュール４１に対して同期信号Ｖsyncを与える。
【００４８】
映像処理モジュール１は、図１に示した制御部１１ないし制御データ生成部１７と、記憶部２１とを備える。
映像信号Ｖd0が画像入力部１２に入力されると、表示データ生成部１６によって、映像信号Ｖd0に相当する表示データＶd1が生成され、表示制御モジュール３１に与えられる。
【００４９】
また、表示データＶd1の出力とほぼ同時に、制御データ生成部１７によって、バックライト部４２の点消灯を制御するための制御データＣｄが生成され、バックライト制御モジュール４１に与えられる。
さらに、表示制御モジュール３１から表示モジュール３２へ表示データＶd1を出力するタイミングと、バックライト制御モジュール４１からバックライトモジュール４２へ制御信号を出力するタイミングとを一致させるために、同期信号生成部１５によって同期信号Ｖsyncが生成され、表示制御モジュール３１とバックライト制御モジュール４１に対して与えられる。
【００５０】
表示制御モジュール３１が、与えられた同期信号Ｖsyncによって規定されるタイミングに基づいて、表示データＶd1を表示モジュール３２に与えると、その表示データに対応する画像が、表示画面に表示される。
一方、バックライト制御モジュール３２が、同一の同期信号Ｖsyncによって規定されるタイミングに基づいて、制御信号をバックライトモジュール４２に与えると、その制御信号に対応して、バックライトを構成するＬＥＤの点灯あるいは消灯が行われる。
【００５１】
ここで、表示データＶd1、同期信号Ｖsync、および制御データＣｄは、制御部１１からの指示に基づいて、たとえば、上記したような１／６０秒のフレーム間隔で、それぞれの生成部（１６，１５，１７）から出力される。
また、この発明において、後述するような焼付防止処理をするために、焼付防止データ２３と、同期信号Ｖsyncと、制御データＣｄとを、より短いタイミング、たとえば、１／１２０秒あるいは１／２４０秒などの時間間隔で出力する。
【００５２】
図３に、この発明の表示装置のモジュール構成についての他の実施例の概略ブロック図を示す。
図３においては、図２と異なり、同期信号生成部１５を、表示制御モジュール３１に備えた場合を示している。他のモジュール構成については、図２と同様である。
この場合は、同期信号Ｖsyncは、表示制御モジュール３１で生成され、表示制御モジュール３１からバックライト制御モジュール４１に与えられる。
【００５３】
表示制御モジュール３１において、表示データＶd1が受信されると、同期信号生成部１５が、垂直同期信号Ｖsyncを生成し、バックライト制御モジュール４１に対して出力する。
【００５４】
バックライト制御モジュール４１は、図２と同様に、与えられた制御データＣｄに基づいて、バックライトモジュール４２の点灯あるいは消灯を行うための制御信号を生成して、与えられた同期信号Ｖsyncによって示されたタイミングで、その制御信号を、バックライトモジュール４２に出力する。
焼付防止データ２３の表示制御に関しても、同期信号を生成するモジュールが表示制御モジュール３１に変更されるだけで、図２と同様に行われる。
【００５５】
＜表示制御と焼き付き防止制御＞
以下に、この発明で行われる表示データの表示制御と、焼き付き防止のための表示制御の実施例について説明する。
（第１実施例）
図４に、この発明の表示制御および焼き付き防止制御の第１実施例のフローチャートを示す。
ここで、現在すでに、第ｎ番目のフレームの映像信号が入力され、対応する表示データ（ｎフレーム画像）が表示部３２に表示されているものとする。
また、ｎフレーム画像に対応するｎフレームデータが、記憶部２１に記憶されているものとする。このｎフレーム画像が表示されるのと同時に、バックライト部４２の点灯が行われる。
【００５６】
まず、ステップＳ１において、制御部１１が、映像信号入力処理を行う。
ここでは、画像入力部１２に新たな映像信号Ｖd0の入力がないか否かを確認し、映像信号Ｖd0が入力された場合は、ｎ＋１番目の表示データ（ｎ＋１フレームデータ）として、記憶部２１に記憶する。
ステップＳ２において、差分計算部１３が、記憶部２１にすでに記憶されていたｎフレームデータを読み出す。
ステップＳ３において、差分計算部１３が、読み出したｎフレームデータと、新たに入力されたｎ＋１フレームデータとの差分を計算する。
【００５７】
ステップＳ４において、データ変化判定部１４が、計算した差分と、差分判定基準２４とを比較し、フレームデータの変化の有無を判定する。
たとえば、計算した差分が、差分判定基準２４よりも小さい場合は、変化がないと判定し、焼付防止処理を実行する。
一方、計算した差分が、差分判定基準２４以上の場合は、変化があると判定し、焼付防止処理は行わない。
ステップＳ５において、データに変化があると判定された場合はステップＳ８へ進み、データに変化がないと判定された場合は、ステップＳ６へ進む。
【００５８】
ステップＳ６において、表示データ生成部１６が、所定の焼付防止データ２３を生成し、（ｎ＋１／２）フレームの表示タイミングで、表示部３２に焼付防止データ２３が表示されるように、焼付防止データ２３を、表示制御部３１に送信する。
このとき、ステップＳ２１に示すように、表示制御部３１は、（ｎ＋１／２）フレームの表示タイミングで、焼付防止データ２３が表示されるように、焼付防止データ２３を表示部３２に送信する。これにより、焼付防止データ２３が、表示画面に表示される。
たとえば、ｎフレームデータと、次のｎ＋１フレームデータとの間の表示間隔が１／６０秒であったとすると、（ｎ＋１／２）フレームの表示タイミングは、ｎフレームデータを表示してから、１／１２０秒が経過した後である。
このような（ｎ＋１／２）フレームの表示タイミングを設定するために、同期信号生成部１５によって同期信号Ｖsyncが生成され、表示制御部３１に与えられる。
【００５９】
ステップＳ７において、制御データ生成部１７が、バックライト部４２を消灯させることを意味する制御データＣｄを生成し、（ｎ＋１／２）フレームの表示タイミングで、バックライト部４２が消灯されるように、生成された制御データＣｄを、バックライト制御部４１に送信する。
このとき、ステップＳ２２に示すように、制御データＣｄを受信したバックライト制御部４１は、（ｎ＋１／２）フレームの表示タイミングで、バックライト部４２が消灯されるように、消灯を行うための制御信号を、バックライト部４２へ送り、バックライト部４２を消灯させる。
【００６０】
このバックライト部４２の消灯のタイミングも、同期信号生成部１５によって生成された同一の同期信号Ｖsyncが、バックライト制御部４１に与えられることにより設定される。すなわち、図２に示したように、同一の同期信号Ｖsyncが、表示制御部３１とバックライト制御部４１に与えられることにより、（ｎ＋１／２）フレームの表示タイミングが設定され、そのタイミングで、同時に、焼付防止データの表示と、バックライト部４２の消灯が行われる。
このように、焼付防止データが表示部３２に表示されるタイミングで、同時に、バックライト部４２が消灯されるので、焼付防止データがほとんど見えないようにすることができる。
【００６１】
ステップＳ８において、表示データ生成部１６が、（ｎ＋１）フレームデータを生成し、（ｎ＋１）フレームの表示タイミングで、表示部３２に（ｎ＋１）フレームデータが表示されるように、（ｎ＋１）フレームデータを、表示制御部３１に送信する。
このとき、ステップＳ２３に示すように、表示制御部３１は、（ｎ＋１）フレームの表示タイミングで、（ｎ＋１）フレームデータが表示されるように、（ｎ＋１）フレームデータを表示部３２に送信する。
これにより、（ｎ＋１）フレームデータが、表示画面に表示される。
（ｎ＋１）フレームの表示タイミングは、同期信号生成部１５によって生成される同期信号Ｖsyncによって設定される。
【００６２】
ステップＳ９において、制御データ生成部１７が、バックライト部４２を点灯させることを意味する制御データＣｄを生成し、（ｎ＋１）フレームの表示タイミングで、バックライト部４２が点灯されるように、生成された制御データＣｄを、バックライト制御部４１に送信する。
このとき、ステップＳ２４に示すように、制御データＣｄを受信したバックライト制御部４１は、（ｎ＋１）フレームの表示タイミングで、バックライト部４２が点灯されるように、点灯を行うための制御信号を、バックライト部４２へ送り、バックライト部４２を点灯させる。
【００６３】
このバックライト部４２の点灯のタイミングも、同期信号生成部１５によって生成された同期信号Ｖsyncがバックライト制御部４１に与えられることにより設定される。
したがって、（ｎ＋１）フレームの表示タイミングで、同時に、ｎ＋１フレームデータの表示と、バックライト部４２の点灯が行われる。
このように、バックライト部４２の点灯と同時にｎ＋１フレームデータの表示が行われるので、ｎフレームデータの表示の次に、ユーザは、ｎ＋１フレームデータを見ることになる。
【００６４】
ステップＳ１０において、（ｎ＋１）フレームデータとして記憶されていた表示データを、（ｎ）フレームデータとして更新記憶する。これにより、ｎフレームデータと、その後に新たに入力されたｎ＋１フレームデータとの差分計算などが行われることになる。
この後、ステップＳ１へ戻る。
【００６５】
一方、ステップＳ５において、データの変化があったと判定された場合は、ステップＳ８へ進むので、上記したような焼付防止データの表示制御は行われず、ｎ＋１フレームデータの表示制御のみが行われる。
【００６６】
図７ａに、フレームデータに変化がある場合の表示制御の説明図を示す。
ここで、時間ｔ＝０の表示タイミング状態（ａ）において、表示部３２に、ｎフレーム画像が表示され、かつバックライト部４２が点灯されていたとする。
次に入力されたｎ＋１フレームデータと、ｎフレームデータとの差分を計算し、両フレームデータ間に変化があったと判定された場合は、図７ａの時間ｔ＝２／１２０（秒）後の表示タイミング状態（ｂ）において、ｎ＋１フレーム画像が表示部３２に表示され、かつバックライト部４２も点灯状態がそのまま維持される。
このように、フレームごとの表示データに変化があると判定され続ける場合は、ｔ＝２／１２０（＝１／６０）秒ごとに、バックライト部４２が点灯された状態で、新たな表示データ（フレーム画像）が表示される。
【００６７】
図７ｂに、フレームデータに変化がない場合の表示制御の説明図を示す。
この表示制御の説明図は、図４のフローチャートによる表示制御に対応するものである。
ここで、時間ｔ＝０の表示タイミング状態（ａ）は、図７ａの状態（ａ）と同様に、バックライト部４２を点灯して、ｎフレーム画像を表示した状態を示している。
次に、新たなｎ＋１フレームの映像信号が入力され、このｎ＋１フレームデータと、前回のｎフレームデータとの差分を計算した結果、両フレームデータ間に変化がないと判定されたとすると、図４のステップＳ６およびＳ７の処理が行われ、図７ｂに示すような焼付防止データの表示制御が行われる。
【００６８】
すなわち、（ｎ＋１／２）フレームの表示タイミングに相当する時間ｔ＝１／１２０秒後の状態（ｂ）に示すように、焼付防止データ２３が表示部３２に表示され、同時に、バックライト部４２が消灯される。
バックライト部４２が消灯された状態で、焼付防止データ２３が表示されるので、ユーザは、焼付防止データをほとんど見ることができない。
その後、さらに１／１２０秒後の時間ｔ＝２／１２０秒の状態（ｃ）に示すように、ｎ＋１フレームデータの画像が表示部３２に表示され、同時に、バックライト部４２が点灯される。
このように、バックライト部４２が点灯された状態でｎ＋１フレームデータが表示されるので、ユーザは、ｎフレームデータの次に、ｎ＋１フレームデータを見ることになる。
【００６９】
その後、さらに、ｎ＋２フレームデータも変化がなかったとすると、さらに１／１２０秒後の時間ｔ＝３／１２０秒の状態（ｄ）に示すように、バックライト部４２が消灯された状態で、焼付防止データ２３が表示される。
このように、本来表示すべきｎフレームデータやｎ＋１フレームデータの表示タイミングの直後に、焼付防止データを表示させることにより、変化のない表示データが連続して表示され続けることが防止されるので、表示パネルに焼き付きが発生することを防止できる。
たとえば、同一の静止画を２４時間連続して表示させる場合でも、同一のフレーム画像を表示する間に、必ず、そのフレーム画像と異なる焼付防止データを表示させるので、表示すべき静止画の表示を中断して、全白画像等の表示をさせる必要はなく、焼き付きの発生を防止できる。
【００７０】
また、焼付防止データを表示しているときは、バックライト部４２を消灯させているので、ユーザがその焼付防止データを視認することはほとんどなく、ｎフレームからｎ＋１フレームまでの表示タイミングにおいて、ユーザは変化のない画像を連続して見ることができる。
また、焼付防止対策のためだけに、全白表示等をさせる必要はなく、メンテナンスにかかる電力消費を節約することができる。
【００７１】
ただし、バックライト部４２を１／１２０秒間は消灯することになるので、輝度が低下する場合があり、その輝度低下は、たとえば、ちらつきとなって画像が見にくくなる場合もある。
このような不都合を解消するためには、焼付防止データを表示した直後のｎ＋１フレームデータを表示する場合に、バックライト部４２から出射される光の輝度を、所定値（通常の輝度）以上に高く設定すればよい。
たとえば、ｎ＋１フレームデータを表示するときのバックライト部４２の輝度を、通常の輝度の２倍の明るさに設定すればよい。
輝度を２倍にするためには、バックライトの光源がＬＥＤの場合、ＬＥＤに流れる電流値が通常の２倍になるように設定すればよい。
これにより、ユーザが輝度の低下に気づきにくくすることができる。
【００７２】
（第２実施例）
図５に、この発明の表示制御および焼き付き防止制御の第２実施例のフローチャートを示す。
図４と同じ処理を行うステップには、同じ番号を付与している。ここでは、表示パネルの極性も考慮して、本来表示すべき隣接するフレームデータの間に、焼付防止データを表示させる。
【００７３】
焼付防止データの表示は、隣接するフレームデータに変化がないと判定された場合に行い、焼付防止データを表示させるときはバックライト部４２を消灯させる。
一般的に、パネルの極性は、ｎ番目とｎ＋１番目で反転させるが、焼付防止効果を高めるためには、逆極性でも実施した方がいいので、通常１／６０秒ごとのフレームデータの表示動作を４倍速にして、１／２４０秒ごとに、フレームデータと焼付防止データとを表示させる。
【００７４】
表示動作を４倍速にして、１／２４０秒ごとに表示させる場合、ｎフレームデータとｎ＋１フレームデータとの間に、３枚のフレームデータを挿入する。
たとえば、ｎフレームデータを表示した後、１／２４０秒後の（ｎ＋２／４）フレームのタイミングに、焼付防止データ２３を表示させ、かつバックライト部４２を消灯させる。
また、ｎフレームデータを表示した後、３／２４０秒後の（ｎ＋３／４）フレームのタイミングでは、ｎフレームデータと同じ画像を表示させる。
このように、同じ画像を表示させるのは、それぞれの極性で焼きつき防止データを表示させるためである。
【００７５】
図５のフローチャートにおいて、ステップＳ１からＳ５の処理と、フレームデータに変化があった場合のステップＳ８からＳ１０の処理は、図４と同様である。
すなわち、すでに表示されたｎフレームデータと、新たに受信したｎ＋１フレームデータの差分を計算し、両データに変化があると判定された場合は、ステップＳ８へ進み、変化がないと判定された場合は、ステップＳ３１へ進む。
また、ｎフレームを表示させている場合、パネル極性を極性（＋）にするものとする。
【００７６】
ステップＳ３１において、焼付防止データを（ｎ＋１／４）フレームの表示タイミングで表示部３２に表示するために、焼付防止データ２３を表示制御部３１に送信する。
このとき、ステップＳ４１において、表示制御部３１は、焼付防止データ２３を、（ｎ＋１／４）フレームの表示タイミングで表示部３２に表示させる。
この表示タイミングは、上記したような同期信号Ｖsyncによって設定される。
【００７７】
ステップＳ３２において、焼付防止データを表示させるのと同じタイミングである（ｎ＋１／４）フレームの表示タイミングで、バックライト部４２を消灯させるために、バックライト部の消灯を意味する制御データを、バックライト制御部４１に送信する。
このとき、ステップＳ４２において、制御データを受信したバックライト制御部４１は、（ｎ＋１／４）フレームの表示タイミングで、バックライト部４２に消灯のための制御信号を送信し、バックライト部４２を消灯させる。
【００７８】
このステップＳ３１とＳ３２によって、（ｎ＋１／４）フレームの表示タイミングにおいて、バックライト部４２を消灯させるとともに、焼付防止データ２３を表示させることができる。
これにより、ｎフレームデータと異なるパターンの焼付防止データ２３が、ｎフレームデータの表示直後に表示されるので、焼付の発生が防止できる。また、焼付防止データを表示させている状態では、バックライト部を消灯させているので、ユーザが焼付防止データをほとんど見えないようにすることができる。
また、焼付防止データを表示しているときのパネル極性については、ｎフレームを表示していたときと逆の極性（−）にする。
【００７９】
次に、ステップＳ３３において、焼付防止データを（ｎ＋２／４）フレームの表示タイミングで表示部３２に表示するために、焼付防止データ２３を表示制御部３１に送信する。
このとき、ステップＳ４３において、焼付防止データを受信した表示制御部３１は、（ｎ＋２／４）フレームの表示タイミングで、焼付防止データ２３を表示部３２に送信する。
【００８０】
ステップＳ３４において、（ｎ＋２／４）フレームの表示タイミングで、バックライト部４２を消灯させるために、バックライト部の消灯を意味する制御データを、バックライト制御部４１に送信する。
このとき、ステップＳ４４において、制御データを受信したバックライト制御部４１は、（ｎ＋２／４）フレームの表示タイミングでバックライト部４２に、消灯のための制御信号を送信し、バックライト部４２を消灯させる。
これにより、（ｎ＋１／４）フレームと、（ｎ＋２／４）フレームの表示タイミングにおいて、連続して２回の焼付防止データの表示が行われ、焼き付きの発生が防止される。
【００８１】
ステップＳ３５において、（ｎ＋３／４）フレームの表示タイミングで、ｎフレームデータを表示させるために、ｎフレームデータを、表示制御部３１に送信する。
このときステップＳ４５において、ｎフレームデータを受信した表示制御部３１は、ｎ＋３／４）フレームの表示タイミングで、ｎフレームデータを表示部３２に送信する。
【００８２】
ステップＳ３６において、（ｎ＋３／４）フレームの表示タイミングで、バックライト部を点灯させるために、バックライト部の点灯を意味する制御データをバックライト制御部４１に送信する。
このとき、ステップＳ４６において、制御データを受信したバックライト制御部４１は、（ｎ＋３／４）フレームの表示タイミングで、バックライト部４２に、点灯のための制御信号を送信し、バックライト部４２を点灯させる。
【００８３】
このように、（ｎ＋３／４）フレームの表示タイミングで、ｎフレームデータを再度表示させることによって、表示に対する影響を少なくすることができる。
この後、ステップＳ８およびＳ９と、ステップＳ２３およびＳ２４において、（ｎ＋１）フレームの表示タイミングで、（ｎ＋１）フレームデータを、表示部３２に表示させ、かつ同じタイミングでバックライト部４２を点灯させる。
次に、ステップＳ１０において、（ｎ＋１）フレームデータを、（ｎ）フレームデータとして更新記憶して、ステップＳ１へ戻る。
【００８４】
図７ｃに、第２実施例において、フレームデータに変化がない場合の表示制御の説明図を示す。
図７ｃにおいて、状態（ａ）は、時間ｔ＝０において、図７ａの状態（ａ）と同様に、ｎフレーム画像を表示した状態を示している。このときパネル極性を、極性（＋）とする。
【００８５】
次に、新たなｎ＋１フレームの映像信号が入力され、ｎフレームデータとｎ＋１フレームデータとの間に変化がない場合は、状態（ｂ）の時間ｔ＝１／２４０秒と、状態（ｃ）のｔ＝２／２４０秒において、（ｎ＋１／４）フレームと、（ｎ＋２／４）フレームの表示タイミングで、バックライト部４２を消灯させて、焼付防止データ２３を表示させる。
パネル極性は、それぞれの表示タイミングで反転させる。
【００８６】
さらに、１／２４０秒後の状態（ｄ）のｔ＝３／２４０秒においては、（ｎ＋３／４）フレームの表示タイミングで、バックライト部４２を点灯させて、ｎフレームデータを表示させる。
このとき、パネル極性は、極性（−）となる。
【００８７】
その後、状態（ｅ）の４／２４０秒後の（ｎ＋１）フレームの表示タイミングにおいては、バックライト部４２を点灯させて、ｎ＋１フレームデータを表示させる。
このような表示制御を行うことにより、表示データに変化がない場合において、ｎフレームデータとｎ＋１フレームデータとの間に、ｎフレームデータと異なるパターンを有する焼付防止データ２３を表示させるので、焼き付きの発生を防止できる。
【００８８】
また、第２実施例の場合も、焼付防止データ２３を表示するときにバックライト部４２を消灯させることにより、輝度低下が発生する場合は、状態（ｅ）のｎ＋１フレームデータを表示させるときに、バックライト部４２の輝度を通常より高い値（たとえば２倍）に設定すればよい。たとえば、バックライト部を構成するＬＥＤに流れる電流値を２倍に設定すればよい。
【００８９】
（第３実施例）
図６ａと図６ｂに、この発明の表示制御および焼き付き防止制御の第３実施例のフローチャートを示す。
また、図７ｄに、第３実施例において、フレームデータに変化がない場合の表示制御の説明図を示す。
ここでは、第２実施例と同様に、４倍速でフレームデータの表示動作を行い、ｎフレームとｎ＋１フレームとの１／６０秒間の表示間隔の中に、１／２４０秒ごとに、３つのフレームデータを表示させる。
【００９０】
ただし、第２実施例では、ｎフレームとｎ＋１フレームとの間に、焼付防止データを２回挿入したが、第３実施例では、焼付防止データを１回だけ挿入する。
また、パネル極性を考慮し、ｎフレームとｎ＋１フレームとの間において、極性（＋）のときに、焼付防止データを表示した場合は、次のｎフレームとｎ＋１フレームとの間において、極性（−）のときに、焼付防止データを表示させる。
【００９１】
また、上記実施例と同様に、焼付防止データを表示するときは、同時に、バックライト部を消灯させる。
このように、焼付防止データを表示する回数を減らし、バックライト部４２を消灯する時間を減らすことにより、輝度低下を抑制することができる。
【００９２】
ここでは、ｎフレーム、ｎ＋１フレーム、ｎ＋２フレームの３つの隣接するフレームデータにおいて変化がないと判定された場合に、焼付防止データを表示させる。
したがって、記憶部２１には、連続する３つのフレームデータ（ｎフレーム、ｎ＋１フレーム、ｎ＋２フレーム）を一時記憶する。
【００９３】
図６ａのステップＳ１０１において、映像信号が入力されたか否かを確認し、映像信号が入力された場合は、ｎ＋２フレームデータとして、記憶部２１に記憶する。
ステップＳ１０２において、すでに記憶されているｎフレームデータを読み出す。
ステップＳ１０３において、ｎ＋２フレームデータと、ｎフレームデータとの差分を計算する。
【００９４】
ステップＳ１０４において、計算された差分と、予め記憶された差分判定基準２４とを比較し、フレームデータに変化があったか否かをチェックする。
ステップＳ１０５において、データに変化があると判定された場合はステップＳ１３１へ進み、変化がないと判定された場合は、ステップＳ１０６へ進む。
【００９５】
ステップＳ１３１からＳ１３５において、ステップＳ８およびＳ９と同様に、（ｎ＋１）フレームの表示タイミングで（ｎ＋１）フレームデータを表示させかつバックライト部を点灯させ、さらに、（ｎ＋２）フレームの表示タイミングで（ｎ＋２）フレームデータを表示させかつバックライト部を点灯させ、（ｎ）フレームデータとして更新記憶して、ステップＳ１０１へ戻る。
【００９６】
ステップＳ１０６において、図５のステップＳ３１と同様に、焼付防止データが、（ｎ＋１／４）フレームの表示タイミングで表示部３２に表示されるように、焼付防止データ２３を表示制御部３１に送信する。
このとき、ステップＳ１２１においても、図５のステップＳ４１と同様に、表示制御部３１が、（ｎ＋１／４）フレームの表示タイミングで、焼付防止データ２３を表示部３２に送信する。
【００９７】
ステップＳ１０７において、図５のステップＳ３２と同様に、（ｎ＋１／４）フレームの表示タイミングでバックライト部を消灯するために、バックライトの消灯を意味する制御データを、バックライト制御部４１に送信する。
このとき、ステップＳ１２２においても、図５のステップＳ４２と同様に、バックライト制御部４１が、（ｎ＋１／４）フレームの表示タイミングで、バックライト部を消灯させるための制御信号を、バックライト部４２に送信する。
【００９８】
次に、ステップＳ１０８において、（ｎ＋２／４）フレームの表示タイミングで、ｎフレームデータを表示するために、ｎフレームデータを、表示制御部３１に送信する。
このとき、ステップＳ１２３において、表示制御部３１は、（ｎ＋２／４）フレームの表示タイミングで、ｎフレームデータを表示部３２に送信する。
【００９９】
ステップＳ１０９において、（ｎ＋２／４）フレームの表示タイミングで、バックライト部を点灯するための制御データを、バックライト制御部４１に送信する。
このとき、バックライト制御部４１は、（ｎ＋２／４）フレームの表示タイミングで、バックライト部を点灯させるための制御信号をバックライト部４２に送信して、バックライト部４２を点灯させる。
【０１００】
ステップＳ１１０およびＳ１１１において、（ｎ＋３／４）フレームの表示タイミングで、ｎフレームデータを表示部３２に表示させ、バックライト部４２を点灯させるために、ｎフレームデータを表示制御部３１に送信し、バックライト部を点灯させるための制御データをバックライト制御部４１に送信する。
このとき、ステップＳ１２５において、（ｎ＋３／４）フレームの表示タイミングで、ｎフレームデータが表示部３２に表示され、ステップＳ１２６において、同じ（ｎ＋３／４）フレームの表示タイミングで、バックライト部４２が点灯される。
【０１０１】
次に、ステップＳ８とＳ９、およびステップＳ２３とＳ２４において、図４に示したのと同様に、（ｎ＋１）フレームの表示タイミングにおいて、ｎ＋１フレームデータが表示部３２に表示され、かつバックライト部４２が点灯されるように表示制御が行われる。
【０１０２】
以上の処理により、図７ｄに示すように、状態（ａ）から状態（ｅ）まで、１／２４０秒間隔で、ｎフレームデータと、焼付防止データと、ｎ＋１フレームデータとが順に表示され、時間ｔ＝１／２４０秒のときに、バックライト部４２が消灯された状態で、パネル極性が極性（−）のとき、１回だけ焼付防止データ２３が表示される。
【０１０３】
次に、図６ｂのステップＳ１５１において、（ｎ＋５／４）フレームの表示タイミングでｎ＋１フレームデータを表示させるために、ｎ＋１フレームデータを、表示制御部３１に送信する。
このとき、ステップＳ１７１において、表示制御部３１が、（ｎ＋５／４）フレームの表示タイミングで、ｎ＋１フレームデータを、表示部３２に送信する。
【０１０４】
ステップＳ１５２において、同じ（ｎ＋５／４）フレームの表示タイミングで、バックライト部を点灯させるための制御データを、バックライト制御部４１に送信する。
このとき、ステップＳ１７２において、バックライト制御部４１が、（ｎ＋５／４）フレームの表示タイミングで、バックライト制御部４１を点灯させるための制御信号をバックライト部４２に送信する。
【０１０５】
ステップＳ１５３において、（ｎ＋６／４）フレームの表示タイミングで、焼付防止データを表示させるために、焼付防止データ２３を表示制御部３１に送信する。
このとき、ステップＳ１７３において、表示制御部３１は、（ｎ＋６／４）フレームの表示タイミングで、焼付防止データ２３を表示部３２に送信する。
【０１０６】
ステップＳ１５４において、同じ（ｎ＋６／４）フレームの表示タイミングで、バックライト部を消灯させるための制御データを、バックライト制御部４１に送信する。
このとき、ステップＳ１７４において、バックライト制御部４１は、（ｎ＋６／４）フレームの表示タイミングで、バックライト部４２を消灯させるための制御信号を、バックライト部４２に送信する。
【０１０７】
ステップＳ１５５において、（ｎ＋７／４）フレームの表示タイミングで、ｎ＋１フレームデータを表示させるために、ｎ＋１フレームデータを、表示制御部３１に送信する。
このとき、ステップＳ１７５において、表示制御部３１は、（ｎ＋７／４）フレームの表示タイミングで、ｎ＋１フレームデータを、表示部３２に送信する。
【０１０８】
ステップＳ１５６において、同じ（ｎ＋７／４）フレームの表示タイミングで、バックライト部を点灯させるための制御データを、バックライト制御部４１に送信する。
このとき、ステップＳ１７６において、バックライト制御部４１は、（ｎ＋７／４）フレームの表示タイミングで、バックライト部４２を点灯させるための制御信号を、バックライト部４２に送信する。
【０１０９】
ステップＳ１５７において、（ｎ＋２）フレームの表示タイミングで、ｎ＋２フレームデータを表示するために、ｎ＋２フレームを表示制御部３１に送信する。
このとき、ステップＳ１７７において、表示制御部３１は、（ｎ＋２）フレームの表示タイミングで、ｎ＋２フレームデータを、表示部３２に送信する。
【０１１０】
ステップＳ１５８において、同じ（ｎ＋２）フレームの表示タイミングで、バックライト部を点灯させるために、バックライト部を点灯させることを意味する制御データを、バックライト制御部４１に送信する。
このとき、ステップＳ１７８において、バックライト制御部４１は、（ｎ＋２）フレームの表示タイミングで、バックライト部４２を点灯させるための制御信号を、バックライト部４２に送信する。
【０１１１】
ステップＳ１５９において、（ｎ＋２）フレームデータを、（ｎ）フレームデータとして更新記憶して、図６ａのステップＳ１０１へ戻る。
以上のように、ステップＳ１５１からＳ１５８において、ｎ＋１フレームデータとｎ＋２フレームデータとを表示する間に、図７ｄの状態（ｆ）、（ｇ）、（ｈ）に示すような表示制御を行う。
【０１１２】
すなわち、時間ｔ＝４／２４０秒の時に、ｎ＋１フレームデータを表示した後、時間ｔ＝５／２４０秒のときに再度ｎ＋１フレームデータを表示させ、状態（ｇ）の時間ｔ＝６／２４０秒のときにバックライト部４２を消灯させた状態で、焼付防止データ２３を表示させる。
この状態（ｇ）における表示パネルの極性は、焼付防止データを表示した状態（ｂ）のパネル極性とは異なる極性（＋）である。
【０１１３】
その後、状態（ｈ）の時間ｔ＝７／２４０秒のときにｎ＋１フレームデータを再度表示させ、状態（ｉ）の時間ｔ＝８／２４０秒のときにｎ＋２フレームデータを表示させる。
図７ｄに示した第３実施例の場合は、本来表示すべき隣接する２つのフレームデータの表示間隔（１／６０秒）の間に、１／２４０秒間だけ焼付防止データ２３を表示させている。
このように、焼付防止データを表示することにより、焼き付きが発生するのを防止できる。
【０１１４】
また、図７ｄにおいて、焼付防止データを表示している状態では、バックライト部を消灯させているが、その時間は、１／２４０秒であって、図７ｃの場合よりも短く、焼付防止データを表示するごとに、パネル極性を異ならせているので、図７ｃに比べて、輝度低下を抑制することができる。
【０１１５】
また、さらに輝度低下を防止するためには、ｎ＋２フレームを表示するタイミングにおいて、バックライト部４２の輝度を高くすればよい。
たとえば、バックライト部を構成するＬＥＤに流れる電流値を４／３倍にし、バックライト部４２の輝度を４／３倍に設定すればよい。
【０１１６】
＜付記＞
以下に、この発明の主要構成からなる表示装置に関して、付記を示す。
（付記１）表示部と、画像データを入力する画像入力部と、入力された画像データに対応する表示データを、所定の時間間隔で前記表示部に表示させる表示制御部と、前記表示データと異なるパターンを持つ焼付防止データを記憶する記憶部と、前記所定の時間間隔で表示される時間的に隣接する第１および第２の表示データに変化があるか否かを判定するデータ変化判定部とを備え、前記データ変化判定部が前記第１および第２の表示データに変化がないと判定した場合に、前記表示制御部は、前記第１の表示データを表示部に表示した後、前記第２の表示データを表示部に表示する前に、前記焼付防止データを所定の期間だけ表示部に表示させることを特徴とする表示装置。
これによれば、表示部に表示させる時間的に隣接する第１および第２の表示データに変化がないと判定した場合、第１の表示データと第２の表示データとの間に、表示データと異なるパターンを持つ焼付防止データを表示させるので、表示部に焼き付きが発生することを防止できる。
【０１１７】
（付記２）前記焼付防止データは、表示部の表示画面全体に白画像を表示させる全白画像パターン、あるいは直前に表示させた表示データの各画素の輝度を反転させた反転画像パターンであることを特徴とする付記１に記載の表示装置。
これによれば、より確実に、表示部の焼き付きの発生を防止できる。
【０１１８】
（付記３）前記表示部が液晶表示パネルであり、前記液晶表示パネルの背面に配置され可視光を出射する発光部をさらに備え、前記焼付防止データを表示部に表示させている期間は、前記発光部から可視光を出射しないことを特徴とする付記１または２に記載の表示装置。
これによれば、焼付防止データの表示期間に、発光部から可視光を出射しないので、ユーザが焼付防止データを見えないようにすることができる。
【０１１９】
（付記４）前記第２の表示データを表示させる前に、前記焼き付防止データを表示させた場合、前記焼付防止データを表示した直後に前記第２の表示データを表示させるとき、
前記発光部から出射される光の輝度を所定値以上に高く設定することを特徴とする付記３に記載の表示装置。
これによれば、第２の表示データを表示するときの輝度を高くしているので、焼付防止データの表示期間に発生しうる輝度の低下を抑制することができる。
【０１２０】
（付記５）前記時間的に隣接する第１および第２の表示データの差分を計算する差分計算部をさらに備え、前記差分に基づいてデータの変化の有無を判定するための差分判定基準を、前記記憶部に予め記憶し、前記データ変化判定部が、前記計算された差分と前記差分判定基準とを比較して、前記計算された差分が差分判定基準よりも小さい場合に、時間的に隣接する第１および第２の表示データに変化がないと判定することを特徴とする付記１ないし４のいずれかに記載の表示装置。
【０１２１】
（付記６）前記差分が、前記第１の表示データのヒストグラムと前記第２の表示データのヒストグラムとの差であることを特徴とする付記５に記載の表示装置。
（付記７）前記時間的に隣接する第１および第２の表示データを表示する期間内に、少なくとも１つの焼付防止データを表示させることを特徴とする付記１ないし６のいずれかに記載の表示装置。
【符号の説明】
【０１２２】
１    映像処理モジュール
１１  制御部
１２  画像入力部
１３  差分計算部
１４  データ変化判定部
１５  同期信号生成部
１６  表示データ生成部
１７  制御データ生成部
２１  記憶部
２２  表示データ
２３  焼付防止データ
２４  差分判定基準
３１  表示制御部
３２  表示部
４１  バックライト制御部
４２  バックライト部
【図７ａ】
2014202855.tif 000003
【図７ｂ】
2014202855.tif 000004
【図７ｃ】
2014202855.tif 000005
【図７ｄ】
2014202855.tif 000006
【図１】
2014202855.tif 000007
【図２】
2014202855.tif 000008
【図３】
2014202855.tif 000009
【図４】
2014202855.tif 000010
【図５】
2014202855.tif 000011
【図６ａ】
2014202855.tif 000012
【図６ｂ】
2014202855.tif 000013